(57)【要約】【課題】アクティブマトリクス回路とを備えた画像表示装置において、フィードスルーが発生する場合であってもアクティブ素子の駆動出力端子を目標電位とする。【解決手段】ＴＦＴ（アクティブ素子）は、その動作状態切り替え時にゲート端子とドレイン端子（駆動出力端子）との間でフィードスルーが生じるため、前回と同じ駆動電圧を印加するときには、図中点線で示すようにドレイン端子の電位Ｖｄ’は目標電位とならない。そこで、ソース端子とドレイン端子との電位差によってＴＦＴの動作状態閾値レベルが変化することを利用し、前回と同じ駆動電圧を印加するときには、フィードスルー電圧ΔＶ１がドレイン端子に印加されることで、ＴＦＴの動作状態閾値レベルがＯＮ信号の電位レベルを跨いで変動するように制御する。これにより、ドレイン端子の電位ＶｄはＴＦＴがＯＦＦ状態になったときに目標電位となる。【選択図】図７
2009058702.tif 000002
【特許請求の範囲】
【請求項１】
表示画素ごとに画素構成部材へ印加する駆動電圧又は駆動電流を制御することにより各表示画素の表示状態が変化する表示部と、
表示画素ごとに画素構成部材へ印加する駆動電圧又は駆動電流を制御するためのアクティブ素子を有するアクティブマトリクス回路とを備え、
該アクティブ素子は、そのアクティブ素子の動作状態を選択するための選択電圧が入力される状態選択端子と、駆動電圧が入力される駆動入力端子と、該駆動入力端子に入力された駆動電圧を画素構成部材へ出力する駆動出力端子とを有するとともに、該アクティブ素子の動作状態切り替え時に該状態選択端子と該駆動出力端子との間にフィードスルーを生じさせる容量成分が存在し、かつ、該駆動入力端子と該駆動出力端子との電位差によって動作状態閾値レベルが変化するものである画像表示装置において、
上記状態選択端子に選択電圧を印加する選択電圧印加手段と、
上記駆動入力端子に駆動電圧を印加する駆動電圧印加手段と、
該駆動電圧印加手段により所定の駆動電圧を印加した直後に該所定の駆動電圧と同じ駆動電圧を該駆動電圧印加手段により印加するときには、上記アクティブ素子の状態選択端子にアクティブ状態選択電圧を印加して該アクティブ素子の動作状態を非アクティブ状態からアクティブ状態に切り替える時に生じるフィードスルーによって発生した電圧が駆動出力端子に印加されることで、該アクティブ素子の動作状態閾値レベルが該アクティブ状態選択電圧の電位レベルを跨いで変動し、該所定の駆動電圧とは異なる駆動電圧を印加するときには、該フィードスルーによって発生した電圧が駆動出力端子に印加されても該アクティブ素子の動作状態閾値レベルが該アクティブ状態選択電圧の電位レベルを跨いで変動しないように、上記選択電圧若しくは上記駆動電圧又はその両方を制御する制御手段とを有することを特徴とする画像表示装置。
【請求項２】
表示画素ごとに画素構成部材へ印加する駆動電圧又は駆動電流を制御することにより各表示画素の表示状態が変化する表示部と、
表示画素ごとに画素構成部材へ印加する駆動電圧又は駆動電流を制御するためのアクティブ素子を有するアクティブマトリクス回路とを備え、
該アクティブ素子は、そのアクティブ素子の動作状態を選択するための選択電圧が入力される状態選択端子と、駆動電圧が入力される駆動入力端子と、該駆動入力端子に入力された駆動電圧を画素構成部材へ出力する駆動出力端子とを有するとともに、該アクティブ素子の動作状態切り替え時に該状態選択端子と該駆動出力端子との間にフィードスルーを生じさせる容量成分が存在し、かつ、該駆動入力端子と該駆動出力端子との電位差によって動作状態閾値レベルが変化するものである画像表示装置において、
上記状態選択端子に選択電圧を印加する選択電圧印加手段と、
上記駆動入力端子に駆動電圧を印加する駆動電圧印加手段とを有し、
上記アクティブ素子の状態選択端子にアクティブ状態選択電圧を印加して該アクティブ素子の動作状態を非アクティブ状態からアクティブ状態に切り替えて該駆動電圧印加手段により該アクティブ素子の駆動入力端子に印加する駆動電圧として、該アクティブ素子の駆動出力端子を、該アクティブ素子の状態選択端子に非アクティブ状態選択電圧を印加して該アクティブ素子の動作状態をアクティブ状態から非アクティブ状態に切り替える時に生じるフィードスルーによって発生した電圧分を目標電位から差し引いた電位にするのに必要な駆動電圧を用いることを特徴とする画像表示装置。
【請求項３】
請求項２の画像表示装置において、
上記フィードスルーによって発生する電圧の大きさが、上記画素構成部材を駆動させるのに必要な最小限の駆動電圧又は駆動電流を該画素構成部材へ印加したときの上記アクティブ素子の駆動出力端子の電位の大きさ以下となるように、構成したことを特徴とする画像表示装置。
【請求項４】
請求項２の画像表示装置において、
上記フィードスルーによって発生する電圧の大きさが、上記画素構成部材を駆動させるのに必要な最小限の駆動電圧又は駆動電流を該画素構成部材へ印加したときの上記アクティブ素子の駆動出力端子の電位の大きさの２／３を中心とした±２０％の範囲となるように、構成したことを特徴とする画像表示装置。
【請求項５】
請求項１乃至４のいずれか１項に記載の画像表示装置において、
上記アクティブ素子は電界効果トランジスタであることを特徴とする画像表示装置。
【請求項６】
請求項５の画像表示装置において、
上記電界効果トランジスタは薄膜トランジスタであることを特徴とする画像表示装置。
【発明の詳細な説明】
【技術分野】
【０００１】
本発明は、表示画素の表示状態を制御するためのアクティブマトリクス回路を備えた、液晶ディスプレイ、有機ＥＬ（ElectroLuminescence）ディスプレイ、電子ペーパー、フレキシブル表示装置、電子本、可搬型表示装置などの画像表示装置に関するものである。
【背景技術】
【０００２】
この種の画像表示装置では、アクティブマトリクス回路のアクティブ素子として、電界効果トランジスタ（ＦＥＴ：Field Effect Transistor）である薄膜トランジスタ（ＴＦＴ：Thin Film Transistor）を使用したものが知られている。以下、ＴＦＴを使用した画像表示装置の構成について、画素構成部材として、移動材としての電気泳動材である着色粒子を用いた電子ペーパーを例に挙げて説明する。
【０００３】
図１２は、アクティブマトリクス回路を用いた回路部の一部（４画素分）を模式的に表した説明図である。
図中縦方向に延びる信号ラインを選択線１，２，・・・，ｍ−１，ｍ，ｍ＋１，・・・，Ｍとし、図中横方向に延びる信号ラインを信号線１，２，・・・，ｎ−１，ｎ，ｎ＋１，・・・，Ｎとする。図示された４つの画素の座標（選択線番号，信号線番号）は、それぞれ、（ｍ−１，ｎ−１）、（ｍ−１，ｎ）、（ｍ，ｎ−１）、（ｍ，ｎ）である。以下、（ｍ，ｎ）の表示画素を例に挙げて表示画素の構成について説明する。アースに接続されている透明電極１００６と、これに対向して配置される画素電極１００５との間には、画素構成部材である移動材としての電気泳動材である着色粒子１０１４が配置されている。本例では、所定極性に帯電した着色粒子１０１４を移動させることで、表示面側の各表示画素の色や濃度（明るさ）などを調整して、画像を表示する。また、画素電極１００５には、アクティブ素子としての電界効果トランジスタ（ＦＥＴ：Field Effect Transistor）である薄膜トランジスタ（ＴＦＴ：Thin Film Transistor）１００１のドレイン端子が接続されている。このＴＦＴ１００１は、そのソース端子に信号線ｎが接続されており、そのゲート端子に選択線ｍが接続されている。
【０００４】
このようなアクティブマトリクス回路においては、各表示画素の電極１００５，１００６間に発生させる電界の向きを信号線１，２，・・・，ｎ−１，ｎ，ｎ＋１，・・・，Ｎに印加する駆動電圧の正負により決定する。また、どの画素について駆動電圧の印加を可能とするかは、どの選択線１，２，・・・，ｍ−１，ｍ，ｍ＋１，・・・，Ｍにアクティブ状態選択電圧を送るかによって制御する。すなわち、例えば（ｍ，ｎ）の表示画素において、選択線ｍにアクティブ状態選択電圧を印加すると、そのアクティブ状態選択電圧がＴＦＴ１００１のゲート端子１００２に印加され、ＴＦＴ１００１がＯＮ状態（アクティブ状態）になる。これにより、信号線ｎを通じてＴＦＴ１００１のソース端子１００３に印加される駆動電圧が、ドレイン端子１００４に接続された画素電極１００５に印加される。一方、選択線ｍに非アクティブ状態選択電圧を印加すると、その非アクティブ状態選択電圧がＴＦＴ１００１のゲート端子１００２に印加され、ＴＦＴ１００１がＯＦＦ状態（非アクティブ状態）になる。これにより、信号線ｎから駆動電圧がＴＦＴ１００１のソース端子１００３に印加されても、ドレイン端子１００４に接続された画素電極１００５には駆動電圧が印加されない。
【０００５】
図１３は、ＴＦＴ１００１の断面構造を示す説明図である。
ＴＦＴ１００１の構造は、基板１２０１の上にゲート電極１００２と対向電極１０１０とを形成し、これらの電極１００２，１０１０の上に絶縁膜１０１２を形成する。そして、この絶縁膜１０１２の上にソース電極１００３及びドレイン電極１００４を形成し、これらの電極１００３，１００４間に活性層１０１３を形成する。ソース電極１００３、ドレイン電極１００４、活性層１０１３は、保護膜１０１５に覆われている。保護膜１０１５にはスルーホール１０１６が形成されていて、このスルーホール１０１６を通じてソース電極１００３と画素電極１００５との電気的な導通路をとる。
【０００６】
このようなＴＦＴ１００１においては、図１３に示したように、ゲート電極１００２とドレイン電極１００４とが互いに対向した部分においてＣｇｄ［μＦ］のゲート−ドレイン間容量成分が存在する。この容量成分については、図１２において符号１１０２で示してある。また、ＴＦＴ１００１のドレイン端子１００４と対向電極１０１０との間の容量成分も存在し、これをＣａ［μＦ］の容量成分１１０３として図１２に図示してある。
ＴＦＴ１００１は、ゲート−ドレイン間容量成分１１０２が存在するため、ゲート電圧が変化した瞬間にドレイン電圧が瞬間的に変動するいわゆるフィードスルーと呼ばれる現象が発生する。このフィードスルーによって生じるフィードスルー電圧ΔＶは、ゲート−ドレイン間容量成分１１０２とドレイン端子１００４に接続されている全容量成分１１０３との比と、ゲート端子１００２に印加されるゲート電圧Ｖｇによって決まる。詳しくは、ΔＶ＝Ｖｇ×Ｃｇｄ／（Ｃｇｄ＋Ｃａ）となる。
特許文献１には、フィードスルー電圧ΔＶを小さくする画像表示装置について開示されているが、実際には、フィードスルー電圧ΔＶを小さくすることは非常に難しい。
【０００７】
【特許文献１】特開平１０−７８５９２号公報
【発明の開示】
【発明が解決しようとする課題】
【０００８】
ところが、図１２に示した例において、画素電極１００５にマイナス極性の電圧を印加するためにＴＦＴ１００１のソース端子１００３にマイナス極性の駆動電圧を印加した場合、フィードスルー電圧ΔＶが原因で次のような問題が生じることがある。
図１４は、ある表示画素に設けられたＴＦＴ１００１がＯＮ状態（アクティブ状態）になる前後のドレイン電圧Ｖｄの変動を示すグラフである。なお、ＴＦＴ１００１のゲート端子１００２に非アクティブ状態選択電圧が印加されている期間をＴｏｆｆとし、アクティブ状態選択電圧が印加されている期間をＴｏｎとしている。また、本例では、図１２に示したとおりドレイン端子１００４に画素電極１００５が接続されているので、ドレイン電圧Ｖｄは画素電極１００５に印加される電圧と同等である。本例において、表示画素に白を表示する場合にはドレイン電圧Ｖｄを目標電位である−５［Ｖ］にする駆動電圧をソース端子１００３に印加し、表示画素に黒を表示する場合にはドレイン電圧Ｖｄを目標電位である＋５［Ｖ］にする駆動電圧をソース端子１００３に印加する。
【０００９】
白が表示されている表示画素について続いて白を表示する場合、まず、ＴＦＴ１００１のゲート端子１００２にアクティブ状態選択電圧を入力して、ＴＦＴ１００１をＯＮ状態にする。このとき、ＴＦＴ１００１のゲート端子１００２に入力される選択電圧が非アクティブ状態選択電圧からアクティブ状態選択電圧へ変化するため、ドレイン端子１００４にはフィードスルー電圧ΔＶ１が発生する。これにより、図１４に示すように、ＴＦＴ１００１のゲート端子１００２にアクティブ状態選択電圧を入力した瞬間に、それまでは−５［Ｖ］であったドレイン電圧Ｖｄがフィードスルー電圧ΔＶ１の分（ここでは−１０［Ｖ］）だけ変動し、−１５［Ｖ］になる。そして、ＴＦＴ１００１がＯＮ状態になっている間は、ＴＦＴ１００１のソース端子１００３に表示画素に白を表示するためのマイナス極性の駆動電圧が印加される。よって、フィードスルー電圧ΔＶの分だけ落ち込んだドレイン電圧Ｖｄは、ＴＦＴ１００１がＯＮ状態になっている間に目標電位である−５［Ｖ］まで回復する。次に、所定の期間Ｔｏｎが過ぎると、ＴＦＴ１００１のゲート端子１００２には非アクティブ状態選択電圧が入力される。これにより、ＴＦＴ１００１がＯＦＦ状態になるが、この瞬間に再びドレイン端子１００４にはフィードスルー電圧ΔＶ２が発生する。これにより、図１４に示すように、−５［Ｖ］まで回復したドレイン電圧Ｖｄがフィードスルー電圧ΔＶ２の分（ここでは＋１０［Ｖ］）だけ変動する。この変動により、ドレイン電圧Ｖｄは＋５［Ｖ］になってしまい、本来であれば白を表示すべきところ黒が表示されてしまう。
【００１０】
また、同様に次のような問題も生じ得る。
図１５は、ある表示画素に設けられたＴＦＴ１００１がＯＮ状態（アクティブ状態）になる前後のドレイン電圧Ｖｄの変動を示すグラフである。なお、本例では、表示画素に白を表示する場合にはドレイン電圧Ｖｄを目標電位である−１５［Ｖ］にする駆動電圧をソース端子１００３に印加し、表示画素に黒を表示する場合にはドレイン電圧Ｖｄを目標電位である＋１５［Ｖ］にする駆動電圧をソース端子１００３に印加する。
【００１１】
白が表示されている表示画素について黒を表示する場合も、ＴＦＴ１００１のゲート端子１００２にアクティブ状態選択電圧を入力してＴＦＴ１００１をＯＮ状態にしたときに、ドレイン端子１００４にフィードスルー電圧ΔＶ１が発生する。ただし、その後にＴＦＴ１００１がＯＮ状態になっている間に、ＴＦＴ１００１のソース端子１００３には表示画素に黒を表示するためのプラス極性の駆動電圧が印加される。これにより、ドレイン電圧Ｖｄは、目標電位である＋１５［Ｖ］になるので、この場合にはフィードスルー電圧ΔＶ１は特に問題にはならない。しかし、所定の期間Ｔｏｎが過ぎて、ＴＦＴ１００１のゲート端子１００２に非アクティブ状態選択電圧が入力されたときに生じるフィードスルー電圧ΔＶ２が問題となる。すなわち、図１５に示すように、ドレイン電圧Ｖｄは、ＴＦＴ１００１がＯＮ状態になっている間にすでに目標電位である＋１５［Ｖ］になっているため、更にフィードスルー電圧ΔＶ２の分（ここでは＋１０［Ｖ］）だけ変動すると、目標電位を越えた＋２５［Ｖ］になってしまい、本来の目標電位である＋１５［Ｖ］をフィードスルー電圧ΔＶ２の分だけ上回った電圧になる。そのため、ドレイン電圧Ｖｄが必要以上の電圧レベルとなるため、その分だけ消費電力を無駄にすることになる。また、ドレイン電圧Ｖｄが必要以上の電圧レベルとなると、ＴＦＴの端子間電圧が大きくなるので、ＴＦＴ１００１の絶縁膜などに負担がかかり、ショートや電流リークなどの不具合を起きやすくなる原因となる。
【００１２】
本発明は、以上の問題に鑑みなされたものであり、その目的とするところは、フィードスルーが発生する場合であっても、アクティブ素子の駆動出力端子を目標電位とすることができる画像表示装置を提供することである。
【課題を解決するための手段】
【００１３】
上記目的を達成するために、請求項１の発明は、表示画素ごとに画素構成部材へ印加する駆動電圧又は駆動電流を制御することにより各表示画素の表示状態が変化する表示部と、表示画素ごとに画素構成部材へ印加する駆動電圧又は駆動電流を制御するためのアクティブ素子を有するアクティブマトリクス回路とを備え、該アクティブ素子は、そのアクティブ素子の動作状態を選択するための選択電圧が入力される状態選択端子と、駆動電圧が入力される駆動入力端子と、該駆動入力端子に入力された駆動電圧を画素構成部材へ出力する駆動出力端子とを有するとともに、該アクティブ素子の動作状態切り替え時に該状態選択端子と該駆動出力端子との間にフィードスルーを生じさせる容量成分が存在し、かつ、該駆動入力端子と該駆動出力端子との電位差によって動作状態閾値レベルが変化するものである画像表示装置において、上記状態選択端子に選択電圧を印加する選択電圧印加手段と、上記駆動入力端子に駆動電圧を印加する駆動電圧印加手段と、該駆動電圧印加手段により所定の駆動電圧を印加した直後に該所定の駆動電圧と同じ駆動電圧を該駆動電圧印加手段により印加するときには、上記アクティブ素子の状態選択端子にアクティブ状態選択電圧を印加して該アクティブ素子の動作状態を非アクティブ状態からアクティブ状態に切り替える時に生じるフィードスルーによって発生した電圧が駆動出力端子に印加されることで、該アクティブ素子の動作状態閾値レベルが該アクティブ状態選択電圧の電位レベルを跨いで変動し、該所定の駆動電圧とは異なる駆動電圧を印加するときには、該フィードスルーによって発生した電圧が駆動出力端子に印加されても該アクティブ素子の動作状態閾値レベルが該アクティブ状態選択電圧の電位レベルを跨いで変動しないように、上記選択電圧若しくは上記駆動電圧又はその両方を制御する制御手段とを有することを特徴とするものである。
また、請求項２の発明は、表示画素ごとに画素構成部材へ印加する駆動電圧又は駆動電流を制御することにより各表示画素の表示状態が変化する表示部と、表示画素ごとに画素構成部材へ印加する駆動電圧又は駆動電流を制御するためのアクティブ素子を有するアクティブマトリクス回路とを備え、該アクティブ素子は、そのアクティブ素子の動作状態を選択するための選択電圧が入力される状態選択端子と、駆動電圧が入力される駆動入力端子と、該駆動入力端子に入力された駆動電圧を画素構成部材へ出力する駆動出力端子とを有するとともに、該アクティブ素子の動作状態切り替え時に該状態選択端子と該駆動出力端子との間にフィードスルーを生じさせる容量成分が存在し、かつ、該駆動入力端子と該駆動出力端子との電位差によって動作状態閾値レベルが変化するものである画像表示装置において、上記状態選択端子に選択電圧を印加する選択電圧印加手段と、上記駆動入力端子に駆動電圧を印加する駆動電圧印加手段とを有し、上記アクティブ素子の状態選択端子にアクティブ状態選択電圧を印加して該アクティブ素子の動作状態を非アクティブ状態からアクティブ状態に切り替えて該駆動電圧印加手段により該アクティブ素子の駆動入力端子に印加する駆動電圧として、該アクティブ素子の駆動出力端子を、該アクティブ素子の状態選択端子に非アクティブ状態選択電圧を印加して該アクティブ素子の動作状態をアクティブ状態から非アクティブ状態に切り替える時に生じるフィードスルーによって発生した電圧分を目標電位から差し引いた電位にするのに必要な駆動電圧を用いることを特徴とするものである。
また、請求項３の発明は、請求項２の画像表示装置において、上記フィードスルーによって発生する電圧の大きさが、上記画素構成部材を駆動させるのに必要な最小限の駆動電圧又は駆動電流を該画素構成部材へ印加したときの上記アクティブ素子の駆動出力端子の電位の大きさ以下となるように、構成したことを特徴とするものである。
また、請求項４の発明は、請求項２の画像表示装置において、上記フィードスルーによって発生する電圧の大きさが、上記画素構成部材を駆動させるのに必要な最小限の駆動電圧又は駆動電流を該画素構成部材へ印加したときの上記アクティブ素子の駆動出力端子の電位の大きさの２／３を中心とした±２０％の範囲となるように、構成したことを特徴とするものである。
また、請求項５の発明は、請求項１乃至４のいずれか１項に記載の画像表示装置において、上記アクティブ素子は電界効果トランジスタであることを特徴とするものである。
また、請求項６の発明は、請求項５の画像表示装置において、上記電界効果トランジスタは薄膜トランジスタであることを特徴とするものである。
【００１４】
請求項１に係る発明においては、駆動電圧印加手段により所定の駆動電圧を印加した直後に当該所定の駆動電圧と同じ駆動電圧を再び印加する場合に、アクティブ素子の駆動出力端子の電位を目標電位とすることができる。詳しく説明すると、本発明でも、駆動電圧を印加する際にアクティブ素子の状態選択端子に印加される選択電圧が非アクティブ状態選択電圧からアクティブ状態選択電圧に切り替わるため、この切り替え時にフィードスルーが生じる。よって、図１４に示したようなフィードスルー電圧ΔＶ１が駆動出力端子に印加され、駆動出力端子の電位がその分だけ変動する。本発明で使用するアクティブ素子は、駆動入力端子と駆動出力端子との電位差によって動作状態閾値レベルがアクティブ状態選択電圧の電位レベルを跨いで変化する。よって、フィードスルー電圧ΔＶ１が駆動出力端子に印加されて駆動出力端子の電位が変動すると、これに応じて動作状態閾値レベルが変化する。本発明は、この原理を利用し、フィードスルー電圧ΔＶ１が駆動出力端子に印加されたときに動作状態閾値レベルがアクティブ状態選択電圧の電位レベルを跨いで変動するようにしている。このように動作状態閾値レベルが変動することで、アクティブ素子の状態選択端子にアクティブ状態選択電圧が印加された瞬間に生じるフィードスルーによって、アクティブ素子がアクティブ状態にならず、非アクティブ状態が維持されるか、瞬間的にアクティブ状態になっても即座に非アクティブ状態になる。したがって、アクティブ素子の状態選択端子にアクティブ状態選択電圧が印加されている期間、アクティブ素子の駆動出力端子の電位は、フィードスルー電圧ΔＶ１によって変動した後の電位に維持される。その後、アクティブ素子の状態選択端子に非アクティブ状態選択電圧が印加されると、その瞬間にフィードスルーが生じ、図１４に示したようなフィードスルー電圧ΔＶ２が駆動出力端子に印加され、駆動出力端子の電位がその分だけ変動する。これにより、アクティブ素子の状態選択端子にアクティブ状態選択電圧を印加したときに生じるフィードスルー電圧ΔＶ１の変動分を、アクティブ素子の状態選択端子に非アクティブ状態選択電圧を印加したときに生じるフィードスルー電圧ΔＶ２の変動分で相殺することができる。その結果、駆動出力端子の電位を、アクティブ素子の状態選択端子にアクティブ状態選択電圧を印加する前の電位とほぼ同じ電位（目標電位）に維持することができる。
【００１５】
請求項２に係る発明においても、アクティブ素子の動作状態をアクティブ状態から非アクティブ状態に切り替える時にフィードスルーが生じるため、図１５に示したようなフィードスルー電圧ΔＶ２が駆動出力端子に印加され、駆動出力端子の電位がその分だけ変動する。ここで、本発明では、駆動電圧印加手段によりアクティブ素子の駆動入力端子に印加する駆動電圧として、フィードスルー電圧ΔＶ２の変動分を見越して、駆動出力端子の電位が目標電位からその変動分を差し引いた電位となるような駆動電圧に設定する。これにより、駆動出力端子の電位は、アクティブ素子の状態選択端子にアクティブ状態選択電圧が印加されている期間Ｔｏｎの間に、目標電位からフィードスルー電圧ΔＶ２の変動分を差し引いた電位になる。その後、アクティブ素子の状態選択端子に非アクティブ状態選択電圧が印加されることでフィードスルーが生じ、駆動出力端子の電位はフィードスルー電圧ΔＶ２分だけ変動する。これにより、駆動出力端子の電位はほぼ目標電位となる。
【発明の効果】
【００１６】
以上、本発明によれば、フィードスルーが発生する場合であっても、アクティブ素子の駆動出力端子を目標電位とすることができるという優れた効果がある。
【発明を実施するための最良の形態】
【００１７】
〔実施形態１〕
以下、本発明を、画像表示装置である電子ペーパーに適用した一実施形態（以下、本実施形態を「実施形態１」という。）について説明する。
図１は、本電子ペーパーの表示部を制御するためのアクティブマトリクス回路の概略構成を示す説明図である。
図２は、アクティブマトリクス回路の一部（１画素分）を拡大した模式図である。
図示のように、図中縦方向に延びる信号ラインが信号線１，２，・・・，ｎ−１，ｎ，ｎ＋１，・・・，Ｎであり、図中横方向に延びる信号ラインが選択線１，２，・・・，ｍ−１，ｍ，ｍ＋１，・・・，Ｍである。本実施形態１のアクティブマトリクス回路は、アクティブ素子として、電界効果トランジスタであるＴＦＴ１００１を用いている。（ｍ，ｎ）座標に配置されたＴＦＴ１００１を例に挙げて説明すると、ＴＦＴ１００１のドレイン端子（駆動出力端子）１００４には画素電極１００５が接続されている。また、ＴＦＴ１００１は、そのソース端子（駆動入力端子）１００３に、対応する信号線ｎが接続されており、そのゲート端子（状態選択端子）１００２に、対応する選択線ｍが接続されている。本実施形態１のＴＦＴ１００１は、有機半導体で構成されたｐチャネルのＴＦＴであるが、適切に電圧を設定し直すことで、ｎチャネルのＴＦＴであってもよい。また、本実施形態１のアクティブマトリクス回路には、コントローラ３０９、記憶手段としてのメモリ３１０、選択線ドライバ３１３、信号線ドライバ３１１が搭載されている。メモリ３１０には、表示部に表示する画像フレームの各表示画素の表示データが格納される。
【００１８】
図３は、本電子ペーパーの表示部１３００及び回路部１２００の一部を切断した断面を模式的に示した説明図である。
表示部１３００の表示面１３０１ａは透明基板１３０１の一方の面で構成され、その透明基板１３０１の他方の面上には、ＩＴＯ（酸化インジウムスズ）などの透明電極１００６が形成されている。透明電極１００６と、これに対向して配置される画素電極１００５との間には、画素構成部材としての移動材である電気泳動材としての白と黒の２色の着色粒子１０１４Ｗ，１０１４Ｂを内包した複数のカプセル１３０３が配置されている。なお、本実施形態１においては、カプセル１３０３の寸法が表示画素よりも大きいものであるが、カプセル１３０３の寸法が表示画素と同じであったり小さいものであったりしてもよい。本実施形態１では、互いに逆極性に帯電した各色の着色粒子１０１４Ｗ，１０１４Ｂを電界の作用により移動させることで、表示面１３０１ａ側の各表示画素の色や濃度（明るさ）などを調整して、画像を表示する。なお、透明電極１００６は、各画素電極に対して共通の電極であり、アースに接続されている。
【００１９】
画素電極１００５と透明電極１００６との間に発生する電界の向きは、対応する信号線ｎに印加する駆動電圧の極性により決定する。また、どの画素電極１００５に対して駆動電圧の印加を可能とするかは、対応する選択線１，２，・・・，ｍ−１，ｍ，ｍ＋１，・・・，Ｍに印加される選択電圧によって制御する。具体的に（ｍ，ｎ）の画素を例に挙げて説明する。選択線ｍにアクティブ状態選択電圧を印加すると、そのアクティブ状態選択電圧がＴＦＴ１００１のゲート端子１００２に印加され、ＴＦＴ１００１がＯＮ状態（アクティブ状態）になる。これにより、信号線ｎを通じてＴＦＴ１００１のソース端子１００３に印加される駆動電圧がドレイン端子１００４を通じて画素電極１００５に印加される。一方、選択線ｍに非アクティブ状態選択電圧を印加すると、その非アクティブ状態選択電圧がＴＦＴ１００１のゲート端子１００２に印加され、ＴＦＴ１００１がＯＦＦ状態（非アクティブ状態）になる。これにより、信号線ｎから駆動電圧がＴＦＴ１００１のソース端子１００３に印加されても、ドレイン端子１００４に接続された画素電極１００５には駆動電圧が印加されない。
【００２０】
カプセル１３０３内の着色粒子１０１４Ｗ，１０１４Ｂは、外部電界が無い状態ではカプセル１３０３内で分散した状態となる。一方、駆動電圧の印加によって外部電界が発生した状態では、図３に示すように、カプセル１３０３内の着色粒子１０１４Ｗ，１０１４Ｂは外部電界の向きに応じてカプセル１３０３内を移動する。これにより、カプセル１３０３内を表示面１３０１ａ側に移動した着色粒子１０１４Ｗ，１０１４Ｂの色に応じて各画素の色や濃度（明るさ）が決定し、表示面全体として白黒の画像が表示される。
【００２１】
次に、本実施形態１における画像表示動作について説明する。
表示部１３００に新たな画像フレームを表示する場合、操作部３０８において表示切替開始信号が生成され、その表示切替開始信号がコントローラ３０９へ送信されることにより表示切替処理が開始する。コントローラ３０９は、まず、選択線ドライバ３１３へ命令信号３０Ｆを送信する。この命令信号３０Ｆを受信した選択線ドライバ３１３は、命令信号３０Ｆに従い、選択線１，２，・・・，ｍ−１，ｍ，ｍ＋１，・・・，Ｍを通じて各ＴＦＴ１００１のゲート端子１００２に所定のタイミングで所定の選択電圧（アクティブ状態選択電圧又は非アクティブ状態選択電圧）を印加する。これにより、各ＴＦＴ１００１の動作状態が制御される。コントローラ３０９からの命令信号３０Ｆには、どの選択線１，２，・・・，ｍ−１，ｍ，ｍ＋１，・・・，Ｍ上のＴＦＴ１００１をＯＮ状態にするかの制御信号と、選択線ドライバ３１３からアクティブ状態選択電圧を出力するタイミングを決定する制御信号とが含まれている。
【００２２】
また、コントローラ３０９は、メモリ３１０へアドレッシング信号３０Ｂを送信するとともに、信号線ドライバ３１１には命令信号３０Ｄを送信する。メモリ３１０へのアドレッシング信号３０Ｂにより、メモリ３１０内から表示対象である画像フレームの各表示画素の表示データが抽出される。この表示データは、各表示画素のＴＦＴ１００１で表示するパターンに対応したものである。抽出された表示データ３０Ｃは、メモリ３１０から信号線ドライバ３１１へ送信される。信号線ドライバ３１１は、この表示データ３０Ｃとコントローラ３０９からの命令信号３０Ｄとによって、各信号線１，２，・・・，ｎ−１，ｎ，ｎ＋１，・・・，Ｎを通じて各ＴＦＴ１００１のソース端子１００３に所定のタイミングで所定の駆動電圧を印加する。コントローラ３０９からの命令信号３０Ｄには、信号線ドライバ３１１から駆動電圧を出力するタイミングを決定する制御信号が含まれている。
【００２３】
各ＴＦＴ１００１では、ゲート端子１００２にアクティブ状態選択電圧が印加されている期間（ＯＮ状態の期間）にソース端子１００３へ入力された駆動電圧がドレイン端子１００４を通じて画素電極１００５へ伝達される。これにより、その画素電極１００５が駆動電圧に応じてプラス電位又はマイナス電位になり、画素電極１００５と透明電極１００６との間に電位差が生じて電界が発生する。これにより、その画素電極１００５と透明電極１００６との間に位置する着色粒子１０１４Ｗ，１０１４Ｂのいずれか一方が透明電極１００６側に移動する。これにより、その表示画素の色が、透明電極１００６側に移動した着色粒子１０１４Ｗ，１０１４Ｂの色となる。このようにして、各表示画素の色を順次制御していき、すべての表示画素についての制御が終了した時点で、画像フレームの表示切り替えが完了する。
【００２４】
なお、各信号線１，２，・・・，ｎ−１，ｎ，ｎ＋１，・・・，Ｎに印加する駆動電圧の電圧レベルは、信号線用Ｄ／Ａコンバータ（以下「信号線用ＤＡＣ」という。）３１２によって設定される。また、各選択線１，２，・・・，ｍ−１，ｍ，ｍ＋１，・・・，Ｍに印加する選択電圧の電圧レベルは、選択線用Ｄ／Ａコンバータ（以下「選択線用ＤＡＣ」という。）３１４によって設定される。信号線用ＤＡＣ３１２や選択線用ＤＡＣ３１４で設定する電圧レベルは、コントローラ３０９から送信される電圧レベル設定信号に応じて決定される。具体的には、コントローラ３０９からの電圧レベル設定信号を受信した信号線用ＤＡＣ３１２及び選択線用ＤＡＣ３１４は、受信した電圧レベル設定信号に応じた電圧レベルの電圧を、それぞれ、信号線ドライバ３１１及び選択線ドライバ３１３に送る。
【００２５】
次に、本実施形態１で使用するＴＦＴ１００１の特性について説明する。
図４は、ドレイン端子１００４にプラス極性の電圧を印加したときのＴＦＴ１００１のＶｇ−Ｉｄ特性を示すグラフである。ここで、ドレイン端子１００４に印加した電圧（ドレイン電圧）Ｖｄは、それぞれ、Ｖｄ＝−５［Ｖ］（図中符号Ａ）、Ｖｄ＝−１０［Ｖ］（図中符号Ｂ）、Ｖｄ＝−１５［Ｖ］（図中符号Ｃ）、Ｖｄ＝−２０［Ｖ］（図中符号Ｄ）である。
図５は、ドレイン端子にマイナス極性の電圧を印加したときのＴＦＴ１００１のＶｇ−Ｉｄ特性を示すグラフである。ここで、ドレイン端子１００４に印加した電圧（ドレイン電圧）Ｖｄは、それぞれ、Ｖｄ＝＋５［Ｖ］（図中符号Ｅ）、Ｖｄ＝＋１０［Ｖ］（図中符号Ｆ）、Ｖｄ＝＋１５［Ｖ］（図中符号Ｇ）である。
なお、ドレイン電流ＩｄはＬｏｇ表示であるため、絶対値で表示してある。
【００２６】
図４に示すように、ドレイン電圧Ｖｄがマイナス極性である場合には、ドレイン電圧Ｖｄが変化してもＴＦＴ１００１の動作状態閾値レベルＶｔｈに変動はない。しかし、図５に示したように、ドレイン電圧Ｖｄがプラス極性である場合には、ドレイン電圧Ｖｄが、＋５［Ｖ］、＋１０［Ｖ］、＋１５［Ｖ］と上昇するに従って、動作状態閾値レベルＶｔｈ１，Ｖｔｈ２，Ｖｔｈ３が、約＋５［Ｖ］づつシフトする。
【００２７】
なお、ここで説明したＴＦＴ１００１の特性はドレイン端子１００４に電圧を印加した場合の特性であるが、本実施形態１のようにソース端子１００３に電圧を印加する場合には、ソースとドレインとの関係が入れ替わり、ドレイン電流Ｉｄの向きが逆向きになる。すなわち、本実施形態１においては、ソース電圧Ｖｓがプラス極性である場合にソース電圧Ｖｓも変動に応じて動作状態閾値レベルＶｔｈが変化し、ソース電圧Ｖｓがマイナス極性である場合にソース電圧Ｖｓも変動しても、動作状態閾値レベルＶｔｈが変化しない。また、図４及び図５に示した特性とは異なる特性をもったＴＦＴでも、使用可能である。
【００２８】
次に、本発明の特徴部分である、各ＴＦＴ１００１の動作について説明する。
なお、本実施形態１では、ＴＦＴ１００１のドレイン端子１００４の電位すなわち画素電極１００５の電位Ｖｄがプラス極性の時に黒を表示し、画素電極１００５の電位Ｖｄがマイナス極性の時に白を表示する構成になっている。具体的には、黒を表示するときには電位Ｖｄを＋５［Ｖ］とし、白を表示するときには電位Ｖｄを−５［Ｖ］とする。
【００２９】
本実施形態１では、画像表示動作の開始時にリフレッシュ処理を行う。このリフレッシュ処理では、すべてのＴＦＴ１００１の動作状態をＯＮ状態にした上で、全信号線１，２，・・・，ｎ−１，ｎ，ｎ＋１，・・・，Ｎに白を表示するための駆動電圧Ｖｗを印加する。これにより、すべての表示画素は白を表示することになる。このようなリフレッシュ処理を終えた後に、画像表示処理を行う。
【００３０】
図６は、ＴＦＴ１００１のゲート端子１００２に印加される選択電圧Ｖｇと、ドレイン電圧Ｖｄの波形を示すグラフである。
図７は、ＴＦＴ１００１にアクティブ状態選択電圧Ｖｏｎが入力されている期間Ｔｏｎの前後におけるドレイン電圧Ｖｄの変動の詳細を示すグラフである。
なお、比較のため、図６及び図７には、図１４に示した従来のドレイン電圧Ｖｄ’も合わせて図示してある。
【００３１】
図６及び図７に示すように、リフレッシュ処理によってドレイン電圧Ｖｄは白を表示するための−５［Ｖ］となる。その後継続して白を表示する場合、本実施形態１では、まず、ＴＦＴ１００１のゲート端子１００２にアクティブ状態選択電圧Ｖｏｎを入力する。このとき、ＴＦＴ１００１のゲート端子１００２に印加される選択電圧Ｖｇが非アクティブ状態選択電圧Ｖｏｆｆからアクティブ状態選択電圧Ｖｏｎに切り替わる。本実施形態１のＴＦＴ１００１は、図１や図２には図示していないが、図１３に示したようにゲート端子１００２とドレイン端子１００４との間にＣｇｄ［μＦ］のゲート−ドレイン間容量成分が存在する。そのため、選択電圧Ｖｇを非アクティブ状態選択電圧Ｖｏｆｆからアクティブ状態選択電圧Ｖｏｎに切り替えた瞬間にフィードスルーが生じ、フィードスルー電圧ΔＶ１（ここでは−１０［Ｖ］である。）がドレイン端子１００４に印加される。これにより、図７に示すように、ドレイン端子１００４の電位がフィードスルー電圧ΔＶ１の分だけ変動し、ドレイン電圧Ｖｄは−１５［Ｖ］となる。
【００３２】
ここで、本実施形態１では、ドレイン電圧Ｖｄがフィードスルー電圧ΔＶ１だけ変動すると、図５に示した特性をもつＴＦＴ１００１は、ドレイン電圧Ｖｄｃを基準とした、ドレイン電圧Ｖｄｃとソース電圧Ｖｓｃとの電位差Ｖｓが、プラス極性の電圧（上記条件では、Ｖｓ＝Ｖｗ−Ｖｄｃ＝−５［Ｖ］−（−１５［Ｖ］）＝＋１０［Ｖ］）となり、動作状態閾値レベルＶｔｈが変化する。本実施形態１では、この動作状態閾値レベルＶｔｈの変動を利用し、フィードスルー電圧ΔＶ１がドレイン端子１００４に印加されたときに動作状態閾値レベルＶｔｈがアクティブ状態選択電圧Ｖｏｎの電位レベルではＴＦＴ１００１がＯＮ状態とならない電位レベルに変化し、動作状態閾値レベルＶｔｈ’となるように、駆動電圧Ｖｗを制御している。このように動作状態閾値レベルが変動することで、ＴＦＴ１００１のゲート端子１００２にアクティブ状態選択電圧Ｖｏｎが印加された瞬間に生じるフィードスルーによって、ＴＦＴ１００１がＯＮ状態にならず、ＯＦＦ状態が維持されるか、瞬間的にＯＮ状態になっても即座にＯＦＦ状態に戻る。したがって、ＴＦＴ１００１のゲート端子１００２にアクティブ状態選択電圧Ｖｏｎが印加されている期間Ｔｏｎの間、ＴＦＴ１００１のドレイン電圧Ｖｄは、図７に示すように、フィードスルー電圧ΔＶ１によって変動した後の−１５［Ｖ］に維持される。
その後、ＴＦＴ１００１のゲート端子１００２に非アクティブ状態選択電圧Ｖｏｆｆが印加されると、その瞬間にフィードスルーが生じ、フィードスルー電圧ΔＶ２（ここでは＋１０［Ｖ］である。）がドレイン端子１００４に印加され、ドレイン電圧Ｖｄがフィードスルー電圧ΔＶ２の分だけ変動する。これにより、ドレイン電圧Ｖｄは−５［Ｖ］となり、目標電位となる。したがって、その表示画素を確実に白に表示することができる。
【００３３】
一方、リフレッシュ処理後に黒を表示する場合、図示はしないが、本実施形態１では、選択電圧Ｖｇを非アクティブ状態選択電圧Ｖｏｆｆからアクティブ状態選択電圧Ｖｏｎに切り替えた瞬間にフィードスルー電圧ΔＶ１がドレイン端子１００４に印加される。しかし、この場合、黒に表示のためにソース端子に印加される駆動電圧Ｖｂと画素電圧Ｖｄｃとの電位差が、ゲート端子１００２に印加されるアクティブ状態選択電圧Ｖｏｎと画素電圧Ｖｄｃとの電位差ではＴＦＴ１００１がＯＦＦ状態にはならない。したがって、ＴＦＴ１００１は、アクティブ状態選択電圧Ｖｏｎの印加によってＯＮ状態になり、期間Ｔｏｎの間にドレイン電圧Ｖｄは目標電位（＋５［Ｖ］）に近づき、その表示画素を黒に表示することができる。
【００３４】
次に、本実施形態１についてシミュレーションした結果について説明する。
１つの選択線に接続された各ＴＦＴ１００１のゲート端子１００２に対して端から順に選択電圧を印加していき、これを繰り返すが、本シミュレーションでは、その繰り返し周期（走査周期）は、１００［ｍｓ］で１６００ラインを走査するのに対応した周期である。また、信号線１，２，・・・，ｎ−１，ｎ，ｎ＋１，・・・，Ｎには、対応するＴＦＴ１００１がＯＮ状態の時には白用の駆動電圧Ｖｗを印加し、ＯＦＦ状態の時には黒用の駆動電圧Ｖｂを印加する。また、本シミュレーションでのフィードスルー電圧ΔＶ１，ΔＶ２の絶対値は、各ＴＦＴ１００１のゲート端子１００２に印加されるアクティブ状態選択電圧Ｖｏｎと非アクティブ状態選択電圧Ｖｏｆｆとの差分値の１／３である。また、本シミュレーションでは、表示画素を黒表示させるのに必要なドレイン電圧Ｖｄ（画素電極１００５の電位）は、＋１５［Ｖ］であり、白表示させるのに必要なドレイン電圧Ｖｄ（画素電極１００５の電位）は、−１５［Ｖ］である。
【００３５】
本シミュレーションにおいて、ＴＦＴ１００１の動作状態を最もＯＦＦ状態に切り替えにくい条件は、表示画素を白表示にした後にＯＦＦ状態へ切り替える時である。具体的には、ドレイン電圧（画素電極１００５の電位）Ｖｄを−１５［Ｖ］（白表示させたときの初期値）にした後、選択線に印加される選択電圧がアクティブ状態選択電圧Ｖｏｎから非アクティブ状態選択電圧Ｖｏｆｆに切り替えるとき、信号線には黒を表示するための駆動電圧Ｖｂ（＋１５［Ｖ］）が印加される。この時、ソース−ドレイン間電圧Ｖｓｄが最も大きな値となるため、ＴＦＴ１００１の動作状態を最もＯＦＦ状態に切り替えにくい。このときの条件で、アクティブ状態選択電圧Ｖｏｎ、非アクティブ状態選択電圧Ｖｏｆｆ、駆動電圧Ｖｗを設定する。
【００３６】
上記条件において、ＴＦＴ１００１のソース−ドレイン間電圧Ｖｓｄは３０［Ｖ］となる。このとき、ＴＦＴ１００１の動作状態をＯＦＦ状態にするのに必要なゲート−ドレイン間電圧Ｖｇｄは、Ｖｇｄ＞Ｖｔｈ＋Ｖｓｄの条件を満たす必要がある。よって、Ｖｔｈ＋Ｖｓｄ＝−２．５［Ｖ］＋３０［Ｖ］＝２７．５［Ｖ］なので、ここでは、ＴＦＴ１００１の動作状態をＯＦＦ状態にするのに必要なゲート−ドレイン間電圧Ｖｇｄを２７．５［Ｖ］よりも大きい３０［Ｖ］とした。そして、非アクティブ状態選択電圧Ｖｏｆｆは、ゲート電圧Ｖｇ、すなわち、ゲート−ドレイン間電圧Ｖｇｄとドレイン電圧（画素電極１００５の電位）Ｖｄとの電位差なので、Ｖｏｆｆ＝Ｖｇｄ＋Ｖｄ＝３０［Ｖ］＋（−１５［Ｖ］）＝１５［Ｖ］となる。
【００３７】
一方、ＴＦＴ１００１の動作状態を最もＯＮ状態に切り替えにくい条件は、表示画素を白表示にする時（表示画素が白表示である時）である。すなわち、表示画素を白表示にする場合、ＴＦＴ１００１をＯＮ状態にしてドレイン電圧（画素電極１００５の電位）Ｖｄを−１５［Ｖ］に近づけていくが、このとき、ドレイン電圧Ｖｄがマイナス極性であるため、上述したように動作状態閾値レベルが変動する。よって、アクティブ状態選択電圧Ｖｏｎは、このような動作状態閾値レベルの変動が起きても、画素電極１００５が白表示するのに必要な電位（−１５［Ｖ］）になるまでは、ＴＦＴ１００１をＯＮ状態に維持できるような電圧に設定する必要がある。具体的には、ドレイン電圧Ｖｄが白表示に必要な電圧（−１５［Ｖ］）になった時のゲート電圧Ｖｇとそのドレイン電圧Ｖｄとの電位差がＶｔｈ以下、すなわち、Ｖｇ−Ｖｄ＜Ｖｔｈの条件を満たす必要がある。したがって、ＴＦＴ１００１の動作状態をＯＮ状態にするのに必要なゲート電圧Ｖｇは、Ｖｇ＜Ｖｄ−Ｖｔｈ＝−１５［Ｖ］−２．５［Ｖ］＝−１７．５［Ｖ］という条件を満たす必要がある。ここでは、アクティブ状態選択電圧Ｖｏｎを、ＴＦＴ１００１の動作状態をＯＮ状態にするのに必要なゲート電圧Ｖｇである−１７．５［Ｖ］よりも低い−２０［Ｖ］とした。
【００３８】
ここで、本シミュレーションでのフィードスルー電圧ΔＶ１，ΔＶ２の絶対値は、上述したように、各ＴＦＴ１００１のゲート端子１００２に印加されるアクティブ状態選択電圧Ｖｏｎと非アクティブ状態選択電圧Ｖｏｆｆとの差分値の１／３である。したがって、本シミュレーションのフィードスルー電圧ΔＶ１，ΔＶ２の絶対値は、｛１５［Ｖ］−（−２０［Ｖ］）｝×１／３＝約１１［Ｖ］である。以下、フィードスルー電圧ΔＶ１，ΔＶ２の絶対値を１１［Ｖ］として説明する。
ＴＦＴ１００１が非アクティブ状態からアクティブ状態に切り替わった瞬間、ドレイン電圧（画素電極１００５の電位）には−１１［Ｖ］のフィードスルー電圧ΔＶ１が発生する。本実施形態１では、上述したように、このフィードスルー電圧ΔＶ１の印加によって変動する動作状態閾値レベルＶｔｈがアクティブ状態選択電圧Ｖｏｎの電位レベルを跨いで変動するように駆動電圧Ｖｗを制御する。
【００３９】
本シミュレーションにおいて、白表示されている表示画素（ドレイン電圧Ｖｄが−１５［Ｖ］である表示画素）について白表示を維持するとき、ＴＦＴ１００１が非アクティブ状態からアクティブ状態に切り替わった瞬間に、ドレイン電圧（画素電極１００５の電位）は、−１５［Ｖ］＋（−１１［Ｖ］）＝−２６［Ｖ］になる。このときＴＦＴ１００１の動作状態は、ドレイン電圧を０［Ｖ］とした時の各種電圧の電圧レベルで決まる。ここで、白用の駆動電圧（ソース電圧）Ｖｗが−１５［Ｖ］であるとすると、ソース−ドレイン間電圧Ｖｓｄは、駆動電圧（ソース電圧）Ｖｗとドレイン電圧（画素電極１００５の電位）Ｖｄとの電位差となる。よって、ドレイン電圧を０［Ｖ］とした時のソース−ドレイン間電圧Ｖｓｄは、Ｖｓｄ＝−１５［Ｖ］−（−２６［Ｖ］）＝１１［Ｖ］となる。また、ドレイン電圧を０［Ｖ］とした時のゲート−ドレイン間電圧Ｖｇｄは、アクティブ状態選択電圧Ｖｏｎ（ゲート電圧Ｖｇ）とドレイン電圧（画素電極１００５の電位）Ｖｄとの電位差となるので、Ｖｇｄ＝−２０［Ｖ］−（−２６［Ｖ］）＝６［Ｖ］となる。
【００４０】
図５に示したＴＦＴ１０００１の特性を見ると、ＴＦＴ１００１をＯＦＦさせるのに必要なゲート電圧Ｖｇは、動作状態閾値レベルＶｔｈにドレイン電圧Ｖｄを加算した値、すなわち、Ｖｇ＝Ｖｔｈ＋Ｖｄとなる。よって、Ｖｓｄ＝１１［Ｖ］の時にＴＦＴ１００１をＯＦＦ状態にするのに必要なゲート電圧Ｖｇは、Ｖｇ＝−２．５［Ｖ］＋１１［Ｖ］＝約８．５［Ｖ］となる。白用の駆動電圧（ソース電圧）Ｖｗが−１５［Ｖ］である場合には、ドレイン電圧を０［Ｖ］とした時のゲート−ドレイン間電圧Ｖｇｄは、Ｖｇｄ＝６［Ｖ］となるため、ＴＦＴ１００１をＯＦＦ状態にするのに必要なゲート電圧である約８．５［Ｖ］には足りず、ＴＦＴ１００１をＯＦＦ状態にすることができない。
【００４１】
そこで、本実施形態１では、白表示されている表示画素（ドレイン電圧Ｖｄが−１５［Ｖ］である表示画素）について白表示を維持する場合には、白用の駆動電圧（ソース電圧）Ｖｗを−２０［Ｖ］とする制御を行う。この場合、ドレイン電圧を０［Ｖ］とした時のソース−ドレイン間電圧Ｖｓｄは、Ｖｓｄ＝−２０［Ｖ］−（−２６［Ｖ］）＝６［Ｖ］となり、ＴＦＴ１００１をＯＦＦさせるのに必要なゲート電圧Ｖｇは、Ｖｇ＝Ｖｔｈ＋Ｖｄ＝−２．５［Ｖ］＋６［Ｖ］＝約３．５［Ｖ］となる。ドレイン電圧を０［Ｖ］とした時のゲート−ドレイン間電圧Ｖｇｄは上述したとおりＶｇｄ＝６［Ｖ］であるため、ＴＦＴ１００１をＯＦＦ状態にするのに必要なゲート電圧である約３．５［Ｖ］を越えるので、ＴＦＴ１００１をＯＦＦ状態にすることができない。
【００４２】
なお、白表示されている表示画素（ドレイン電圧Ｖｄが−１５［Ｖ］である表示画素）について黒表示に切り替える場合には、信号線には黒用の駆動電圧Ｖｂ（＋１５［Ｖ］）が印加される。この場合、ソース−ドレイン間電圧Ｖｓｄは、Ｖｓｄ＝＋１５［Ｖ］−（−２６［Ｖ］）＝４１［Ｖ］となる。このときのＴＦＴ１００１の動作状態閾値レベルＶｔｈは、約４０Ｖとなるので、ドレイン電圧を０［Ｖ］とした時のゲート−ドレイン間電圧Ｖｇｄが上述したとおりＶｇｄ＝６［Ｖ］であるため、ＴＦＴ１００１をＯＮ状態にするすることができる。
【００４３】
以上より、本実施形態１によれば、白表示されている表示画素について白表示を維持する場合、ＴＦＴ１００１のゲート端子１００２にアクティブ状態選択電圧Ｖｏｎが印加された時にフィードスルー電圧ΔＶ１が生じることで、動作状態閾値レベルＶｔｈがアクティブ状態選択電圧Ｖｏｎの電位レベルを跨いで変動するように、駆動電圧Ｖｗが制御される。したがって、ＴＦＴ１００１のゲート端子１００２にアクティブ状態選択電圧Ｖｏｎが印加されている期間Ｔｏｎでは、ＴＦＴ１００１はＯＮ状態にならず、ＯＦＦ状態が維持されるか、瞬間的にＯＮ状態になっても即座にＯＦＦ状態に戻る。したがって、上記シミュレーションの条件においては、期間Ｔｏｎ中は、ＴＦＴ１００１のドレイン電圧Ｖｄが、フィードスルー電圧ΔＶ１によって変動した後の電位である−２６［Ｖ］に維持される。その後、ＴＦＴ１００１のゲート端子１００２に非アクティブ状態選択電圧Ｖｏｆｆが印加されると、その瞬間にフィードスルーが生じ、フィードスルー電圧ΔＶ２である＋１１［Ｖ］がドレイン端子１００４に印加され、ドレイン電圧Ｖｄがフィードスルー電圧ΔＶ２の分だけ変動する。これにより、ドレイン電圧Ｖｄは−１５［Ｖ］となり、目標電位となる。したがって、その表示画素を確実に白に表示することができる。
【００４４】
〔実施形態２〕
次に、本発明を、上記実施形態１と同様に、画像表示装置である電子ペーパーに適用した他の実施形態（以下、本実施形態を「実施形態２」という。）について説明する。
本実施形態２における電子ペーパーのハードウェア構成は、上記実施形態１と同様であり、以下、上記実施形態１とは異なる点のみ説明する。
【００４５】
図８は、ＴＦＴ１００１にアクティブ状態選択電圧Ｖｏｎが入力されている期間Ｔｏｎの前後におけるドレイン電圧Ｖｄの変動の詳細を示すグラフである。
なお、比較のため、図８には、図１５に示した従来のドレイン電圧Ｖｄ’も合わせて図示してある。
【００４６】
図８に示すように、リフレッシュ処理によってドレイン電圧Ｖｄは白を表示するための−１５［Ｖ］となる。その後継続して黒を表示する場合、本実施形態２では、まず、ＴＦＴ１００１のゲート端子１００２にアクティブ状態選択電圧Ｖｏｎを入力する。このとき、ＴＦＴ１００１のゲート端子１００２に印加される選択電圧Ｖｇが非アクティブ状態選択電圧Ｖｏｆｆからアクティブ状態選択電圧Ｖｏｎに切り替わる。本実施形態１のＴＦＴ１００１は、図１や図２には図示していないが、図１３に示したようにゲート端子１００２とドレイン端子１００４との間にＣｇｄ［μＦ］のゲート−ドレイン間容量成分が存在する。そのため、選択電圧Ｖｇを非アクティブ状態選択電圧Ｖｏｆｆからアクティブ状態選択電圧Ｖｏｎに切り替えた瞬間にフィードスルーが生じ、フィードスルー電圧ΔＶ１（ここでは−１０［Ｖ］である。）がドレイン端子１００４に印加される。これにより、図８に示すように、ドレイン端子１００４の電位がフィードスルー電圧ΔＶ１の分だけ変動し、ドレイン電圧Ｖｄは−２５［Ｖ］となる。
【００４７】
一方、ＴＦＴ１００１がＯＮ状態になっている期間Ｔｏｎは、ＴＦＴ１００１のソース端子１００３には黒用の駆動電圧Ｖｂが印加されるので、−２５［Ｖ］のドレイン電圧Ｖｄが目標電位である＋１５［Ｖ］まで回復する。そして、期間Ｔｏｎが過ぎると、ＴＦＴ１００１のゲート端子１００２には非アクティブ状態選択電圧Ｖｏｆｆが入力される。これにより、ＴＦＴ１００１がＯＦＦ状態になるが、この瞬間にドレイン端子１００４にはフィードスルー電圧ΔＶ２が発生する。そのため、上記実施形態１のように、期間Ｔｏｎに印加する黒用の駆動電圧Ｖｂが画素電極１００５の電位を目標電位である＋１５［Ｖ］とするのに必要な電圧レベルとしていると、図８中符号Ｖｄ’で示すドレイン電圧（画素電極１００５の電位）Ｖｄのように、期間Ｔｏｎの時に目標電位である＋１５［Ｖ］となったドレイン電圧Ｖｄがフィードスルー電圧ΔＶ２によって、＋２５［Ｖ］になってしまう。
【００４８】
そこで、本実施形態２では、ＴＦＴ１００１のソース端子１００３に印加する駆動電圧Ｖｂとして、フィードスルー電圧ΔＶ２の変動分（＋１０［Ｖ］）を見越して、ドレイン電圧Ｖｄが目標電位である＋１５［Ｖ］からその変動分（＋１０［Ｖ］）を差し引いた電位、すなわち、５［Ｖ］となるような駆動電圧Ｖｂに設定する。これにより、ドレイン電圧Ｖｄは、ＴＦＴ１００１のゲート端子１００２にアクティブ状態選択電圧Ｖｏｎが印加されている期間Ｔｏｎの間に、目標電位からフィードスルー電圧ΔＶ２の変動分（）を差し引いた電位、すなわち、＋５［Ｖ］になる。そして、その後にＴＦＴ１００１のゲート端子１００２に非アクティブ状態選択電圧Ｖｏｆｆが印加され、ドレイン電圧Ｖｄがフィードスルー電圧ΔＶ２分だけ変動すると、これによりドレイン電圧（画素電極１００５の電位）Ｖｄは、目標電位と同じ＋１５［Ｖ］となる。
実施形態１のようにドレイン電圧（画素電極１００５の電位）Ｖｄが＋２５［Ｖ］となる場合でも、表示画素を黒表示させることはできるが、必要以上の電圧を印加することになるため、消費電力やＴＦＴ等の寿命の観点から、本実施形態２のようにドレイン電圧（画素電極１００５の電位）Ｖｄの大きさをなるべく小さく抑える方が好ましい。
【００４９】
また、本実施形態２では、期間Ｔｏｎの間に、ドレイン電圧（画素電極１００５の電位）Ｖｄが目標電位である＋１５［Ｖ］まで充電されることを前提に説明したが、ＴＦＴ１００１の移動度不足やＴＦＴ１００１を作成できる面積の都合上、実際には、ＴＦＴ１００１がＯＮ状態のときのドレイン電流Ｉｄを十分に流すことができず、期間Ｔｏｎの間にドレイン電圧（画素電極１００５の電位）Ｖｄを目標電位である＋１５［Ｖ］まで充電することができない場合もある。このような場合、従来は、期間Ｔｏｎの時間を長くして、期間Ｔｏｎの間にドレイン電圧（画素電極１００５の電位）Ｖｄが目標電位である＋１５［Ｖ］まで充電されるように調整するため、表示性能を落とす結果となる。これに対し、本実施形態２では、期間Ｔｏｎの間にドレイン電圧（画素電極１００５の電位）Ｖｄの大きさが目標電位よりもフィードスルー電圧ΔＶ２分だけ小さい電位レベルに充電できればよいので、期間Ｔｏｎの短縮化を図ることもでき、従来に比べて表示性能を向上させることもできる。
【００５０】
また、図８に示すように、ＴＦＴ１００１のゲート端子１００２に非アクティブ状態選択電圧Ｖｏｆｆを印加している期間Ｔｏｆｆに、ドレイン電圧（画素電極１００５の電位）Ｖｄは、リークを起こして徐々に低下する場合がある。このような場合、リーク分を見越して、そのリーク分を上乗せした分のドレイン電圧となるように駆動電圧Ｖｂに設定してもよい。ただし、非アクティブ状態選択電圧Ｖｏｆｆも変更する場合には、フィードスルー電圧ΔＶ１，ΔＶ２が変わるので注意が必要である。
【００５１】
次に、フィードスルー電圧ΔＶ１，ΔＶ２について説明する。
フィードスルー電圧ΔＶ１，ΔＶ２が大きいと、次のような不具合が生じるからである。すなわち、フィードスルー電圧ΔＶ１，ΔＶ２が大きいと、瞬時的に電圧が大きく変化することになるため、ＴＦＴ１００１の各端子間の電位差が瞬時的に電圧が大きくなるため、絶縁膜などに負担がかかり、ショートや電流リークなどの欠陥の原因となるからである。また、フィードスルー電圧ΔＶ２の大きさは、マトリクス内の全ＴＦＴ１００１に存在するＣｇｄ［μＦ］のゲート−ドレイン間容量成分の静電容量が均一とは限らないため、すべてのＴＦＴ１００１で同じではない。そのため、フィードスルー電圧ΔＶ２が大きいと、ＴＦＴ間におけるフィードスルー電圧ΔＶ２のバラツキも大きくなり、上記実施形態２の場合には表示画素間で濃度差ムラ等の表示ムラなどが発生してしまう。
【００５２】
図９は、フィードスルー電圧ΔＶ１，ΔＶ２が、表示画素を適切に表示するのに必要となる電圧レベルと同じ場合と、その電圧レベルよりも大きい場合とについて、シミュレーションを行ったときのドレイン電圧Ｖｄの波形を示す説明図である。
なお、フィードスルー電圧ΔＶ１，ΔＶ２は、ゲート−ドレイン間容量成分の静電容量を変更することによって調整したものである。
【００５３】
図中符号６０１は、信号線に印加する駆動電圧を０［Ｖ］とし、選択線に印加するアクティブ状態選択電圧Ｖｏｎを−２０［Ｖ］とし、非アクティブ状態選択電圧Ｖｏｆｆを＋１５［Ｖ］として駆動したときのドレイン電圧（画素電極１００５の電位）Ｖｄの変化をシミュレーションしたものである。このときのフィードスルー電圧ΔＶ１，ΔＶ２の大きさは、表示画素を適切に表示するのに必要となる電圧レベルと同じ１５［Ｖ］である。
また、図中符号６０２は、信号線に印加する駆動電圧を−４［Ｖ］とし、選択線に印加するアクティブ状態選択電圧Ｖｏｎを−２０［Ｖ］とし、非アクティブ状態選択電圧Ｖｏｆｆを＋１５［Ｖ］として駆動したときのドレイン電圧（画素電極１００５の電位）Ｖｄの変化をシミュレーションしたものである。このときのフィードスルー電圧ΔＶ１，ΔＶ２の大きさは、表示画素を適切に表示するのに必要となる電圧レベルである１５［Ｖ］よりも大きい１９［Ｖ］である。また、本シミュレーションの走査周期は、１００［ｍｓ］で１６００ラインを走査するのに対応した周期である。また、ＴＦＴ１００１がＯＦＦ状態のときには、そのソース端子１００３にはＯＮ状態のときとは逆極性の電圧がかかるものとする。
【００５４】
符号６０１で示すドレイン電圧（画素電極１００５の電位）Ｖｄと、非アクティブ状態選択電圧Ｖｏｆｆとの最大電位差は、図中符号６０３で示すポイントのドレイン電圧Ｖｄと非アクティブ状態選択電圧Ｖｏｆｆとの電位差であり、約３７．５［Ｖ］である。これに対し、符号６０２で示すドレイン電圧（画素電極１００５の電位）Ｖｄと、非アクティブ状態選択電圧Ｖｏｆｆとの最大電位差は、図中符号６０４で示すポイントのドレイン電圧Ｖｄと非アクティブ状態選択電圧Ｖｏｆｆとの電位差であり、約４２．５［Ｖ］である。このシミュレーション結果が示すように、フィードスルー電圧ΔＶ１，ΔＶ２が大きいと、ドレイン電圧（画素電極１００５の電位）Ｖｄの電圧レベルが大きく変動することになる。そして、フィードスルー電圧ΔＶ１，ΔＶ２が表示画素を適切に表示するのに必要となる電圧レベルと同じ１５［Ｖ］以下であれば、上述した不具合を十分に抑制することができる。
【００５５】
特に、フィードスルー電圧ΔＶ１，ΔＶ２が表示画素を適切に表示するのに必要となる電圧レベルと同じ１５［Ｖ］の２／３の±２０％の範囲内以下であるのが好ましい。
図４及び図５に示した静特性をもつＴＦＴ１００１において、フィードスルー電圧ΔＶ１，ΔＶ２の大きさが、表示画素を適切に表示するのに必要となる電圧レベルと同じ１５［Ｖ］の２／３である１０［Ｖ］であるとした場合、上記実施形態１で説明したように各種電圧を決めていくと、信号線に印加する黒用の駆動電圧Ｖｂは＋１５［Ｖ］となり、選択線に印加するアクティブ状態選択電圧Ｖｏｎは−２０［Ｖ］となり、非アクティブ状態選択電圧Ｖｏｆｆは＋１５［Ｖ］となる。そして、上記実施形態２で説明したように、フィードスルー電圧ΔＶ１，ΔＶ２分だけ少ない駆動電圧を印加する場合、信号線に印加する駆動電圧は、白用の駆動電圧Ｖｗは−５［Ｖ］となり、黒用の駆動電圧Ｖｂは＋５［Ｖ］となる。
【００５６】
ここで、フィードスルー電圧ΔＶ１，ΔＶ２が、表示画素を適切に表示するのに必要となる電圧レベル（以下「必要電圧レベル」という。）と同じ１５［Ｖ］の２／３である場合と、必要電圧レベルと同じ１５［Ｖ］である場合とを比較したシミュレーションを行う。
図１０は、このシミュレーション結果を示す説明図である。
図中符号７０１は、フィードスルー電圧ΔＶ１，ΔＶ２が必要電圧レベルの２／３である１０［Ｖ］であり、信号線に印加する黒用の駆動電圧Ｖｂを＋５［Ｖ］とし、白用の駆動電圧Ｖｗを−２０［Ｖ］とし、選択線に印加するアクティブ状態選択電圧Ｖｏｎを−２０［Ｖ］とし、非アクティブ状態選択電圧Ｖｏｆｆを＋１５［Ｖ］として駆動したときのドレイン電圧（画素電極１００５の電位）Ｖｄの変化をシミュレーションしたものである。
図中符号７０２は、フィードスルー電圧ΔＶ１，ΔＶ２が必要電圧レベルと同じ１５［Ｖ］であり、信号線に印加する黒用の駆動電圧Ｖｂを０［Ｖ］とし、白用の駆動電圧Ｖｗを−２０［Ｖ］とし、選択線に印加するアクティブ状態選択電圧Ｖｏｎを−２０［Ｖ］とし、非アクティブ状態選択電圧Ｖｏｆｆを＋１５［Ｖ］として駆動したときのドレイン電圧（画素電極１００５の電位）Ｖｄの変化をシミュレーションしたものである。
また、本シミュレーションの走査周期は、１００［ｍｓ］で１６００ラインを走査するのに対応した周期である。また、ＴＦＴ１００１がＯＦＦ状態のときには、そのソース端子１００３にはＯＮ状態のときとは逆極性の電圧がかかるものとする。また、フィードスルー電圧ΔＶ１，ΔＶ２は、ゲート−ドレイン間容量成分の静電容量を変更することによって調整した。
【００５７】
図中符号７０１で示すドレイン電圧Ｖｄと、図中符号７０２で示すドレイン電圧Ｖｄとを比較すると、フィードスルー電圧ΔＶ１によって低下したときの電圧レベル（図中符号７０３及び７０４でそれぞれ示すポイント）を除けば、他のポイントの電圧レベルはほぼ同じ電位である。したがって、フィードスルー電圧ΔＶ１，ΔＶ２が必要電圧レベルの２／３であれば、フィードスルー電圧ΔＶ１，ΔＶ２が必要電圧レベルと同じ場合に比べて、ドレイン端子１００４（画素電極１００５）と他の端子１００２，１００３との間の電位差を小さくできる。
【００５８】
更に、フィードスルー電圧ΔＶ１，ΔＶ２が必要電圧レベルの１／３である場合について説明する。
図４及び図５に示した静特性をもつＴＦＴ１００１において、フィードスルー電圧ΔＶ１，ΔＶ２の大きさが必要電圧レベルの１／３である５［Ｖ］であるとした場合、上記実施形態１で説明したように各種電圧を決めていくと、信号線に印加する黒用の駆動電圧Ｖｂは＋１５［Ｖ］となり、選択線に印加するアクティブ状態選択電圧Ｖｏｎは−２０［Ｖ］となり、非アクティブ状態選択電圧Ｖｏｆｆは＋１５［Ｖ］となる。そして、上記実施形態２で説明したように、フィードスルー電圧ΔＶ１，ΔＶ２分だけ少ない駆動電圧を印加する場合、信号線に印加する駆動電圧は、白用の駆動電圧Ｖｗは−１０［Ｖ］となり、黒用の駆動電圧Ｖｂは＋１０［Ｖ］となる。
【００５９】
ここで、フィードスルー電圧ΔＶ１，ΔＶ２が、必要電圧レベルの２／３である１０［Ｖ］の場合と、必要電圧レベルの１／３である５［Ｖ］の場合とを比較したシミュレーションを行う。
図１１は、このシミュレーション結果を示す説明図である。
図中符号８０１は、フィードスルー電圧ΔＶ１，ΔＶ２が必要電圧レベルの２／３である１０［Ｖ］であり、信号線に印加する黒用の駆動電圧Ｖｂを＋５［Ｖ］とし、白用の駆動電圧Ｖｗを−２０［Ｖ］とし、選択線に印加するアクティブ状態選択電圧Ｖｏｎを−２０［Ｖ］とし、非アクティブ状態選択電圧Ｖｏｆｆを＋１５［Ｖ］として駆動したときのドレイン電圧（画素電極１００５の電位）Ｖｄの変化をシミュレーションしたものである。
図中符号８０２は、フィードスルー電圧ΔＶ１，ΔＶ２が必要電圧レベルの１／３である５［Ｖ］であり、信号線に印加する黒用の駆動電圧Ｖｂを＋１０［Ｖ］とし、白用の駆動電圧Ｖｗを−２０［Ｖ］とし、選択線に印加するアクティブ状態選択電圧Ｖｏｎを−２０［Ｖ］とし、非アクティブ状態選択電圧Ｖｏｆｆを＋１５［Ｖ］として駆動したときのドレイン電圧（画素電極１００５の電位）Ｖｄの変化をシミュレーションしたものである。
また、本シミュレーションの走査周期は、１００［ｍｓ］で１６００ラインを走査するのに対応した周期である。また、ＴＦＴ１００１がＯＦＦ状態のときには、そのソース端子１００３にはＯＮ状態のときとは逆極性の電圧がかかるものとする。また、フィードスルー電圧ΔＶ１，ΔＶ２は、ゲート−ドレイン間容量成分の静電容量を変更することによって調整した。
【００６０】
図中符号８０１で示すドレイン電圧Ｖｄと、図中符号８０２で示すドレイン電圧Ｖｄとを比較すると、フィードスルー電圧ΔＶ１，ΔＶ２が必要電圧レベルの１／３である場合の方がフィードスルー電圧ΔＶ１が小さい分、ドレイン端子１００４（画素電極１００５）と他の端子との間の電位差を小さくできる。
しかし、ＴＦＴ１００１をＯＮ状態にする時のソース電圧（信号線に印加される駆動電圧）とドレイン電圧（画素電極１００５の電位）Ｖｄとの電位差が、フィードスルー電圧ΔＶ１，ΔＶ２が必要電圧レベルの１／３である場合よりも、必要電圧レベルの２／３である場合の方が大きい。よって、後者の方がソース−ドレイン間電圧Ｖｓｄを大きくなるため、ドレイン電圧（画素電極１００５の電位）Ｖｄの充電速度が速いという利点がある。よって、上記実施形態２の場合においては、フィードスルー電圧ΔＶ１，ΔＶ２を有効に利用するためにフィードスルー電圧ΔＶ１，ΔＶ２が必要電圧レベルの２／３である場合の方が好ましい。
【００６１】
以上、実施形態１に係る電子ペーパーは、表示画素ごとに画素構成部材である着色粒子１０１４Ｗ，１０１４Ｂへ印加する駆動電圧Ｖｗ，Ｖｂを制御することにより各表示画素の表示状態が変化する表示部１３００と、表示画素ごとに着色粒子１０１４Ｗ，１０１４Ｂへ印加する駆動電圧を制御するためのアクティブ素子であるＴＦＴ１００１を有するアクティブマトリクス回路とを備えている。ＴＦＴ１００１は、その動作状態を選択するための選択電圧が入力される状態選択端子であるゲート端子１００２と、駆動電圧が入力される駆動入力端子であるソース端子１００３と、ソース端子１００３に入力された駆動電圧を着色粒子１０１４Ｗ，１０１４Ｂへ出力する駆動出力端子であるドレイン端子１００４とを有するとともに、ＴＦＴ１００１の動作状態切り替え時にゲート端子１００２とドレイン端子１００４との間にフィードスルーを生じさせる容量成分が存在し、かつ、ソース端子１００３とドレイン端子１００４との電位差Ｖｓｄによって動作状態閾値レベルＶｔｈが変化するものである。この電子ペーパーは、ゲート端子１００２に選択電圧を印加する選択電圧印加手段としての選択線用ＤＡＣ３１４及び選択線ドライバ３１３と、ソース端子１００３に駆動電圧を印加する駆動電圧印加手段としての信号線用ＤＡＣ３１２及び選択線ドライバ３１３と、所定の駆動電圧である白用駆動電圧Ｖｗを印加した直後にこれと同じ駆動電圧Ｖｗをソース端子１００３に印加するときには、ＴＦＴ１００１のゲート端子１００２にアクティブ状態選択電圧Ｖｏｎを印加してＴＦＴ１００１の動作状態をＯＦＦ状態（非アクティブ状態）からＯＮ状態（アクティブ状態）に切り替える時に生じるフィードスルーによって発生したフィードスルー電圧ΔＶ１がドレイン端子１００４に印加されることで、ＴＦＴ１００１の動作状態閾値レベルＶｔｈがアクティブ状態選択電圧Ｖｏｎの電位レベルを跨いで変動し、白用駆動電圧Ｖｗとは異なる黒用駆動電圧Ｖｂを印加するときには、フィードスルーによって発生したフィードスルー電圧ΔＶ１がドレイン端子１００４に印加されてもＴＦＴ１００１の動作状態閾値レベルがアクティブ状態選択電圧Ｖｏｎの電位レベルを跨いで変動しないように、駆動電圧Ｖｗを制御する制御手段としてのコントローラ３０９を有する。これにより、実施形態１の電子ペーパーによれば、上述したとおり、白表示されている表示画素について白表示を維持する場合に、フィードスルー電圧ΔＶ１が発生しても、その表示画素を確実に白に表示することができる。
また、実施形態２に係る電子ペーパーは、ＴＦＴ１００１のゲート端子１００２にアクティブ状態選択電圧Ｖｏｎを印加してＴＦＴ１００１の動作状態をＯＦＦ状態からＯＮ状態に切り替えてＴＦＴ１００１のソース端子１００３に印加する駆動電圧Ｖｗ，Ｖｂとして、ＴＦＴ１００１のドレイン端子１００４を、ＴＦＴ１００１のゲート端子１００２に非アクティブ状態選択電圧Ｖｏｆｆを印加してＴＦＴ１００１の動作状態をＯＮ状態からＯＦＦ状態に切り替える時に生じるフィードスルーによって発生したフィードスルー電圧ΔＶ２分を目標電位から差し引いた電位にするのに必要な駆動電圧を用いる。これにより、実施形態２の電子ペーパーによれば、上述したとおり、フィードスルー電圧ΔＶ２が発生する場合であっても、画素電極１００５の電位を目標電位とすることができ、消費電力の無駄を少なくし、ＴＦＴ等の寿命を延ばすことができる。
特に、フィードスルー電圧Δ１，Δ２の大きさが、着色粒子１０１４Ｗ，１０１４Ｂを駆動させるのに必要な最小限の駆動電圧を着色粒子１０１４Ｗ，１０１４Ｂへ印加したときのＴＦＴ１００１のドレイン端子１００４の電位の大きさ以下となるように構成することで、上述したように、フィードスルー電圧ΔＶによる大きな電圧変動による、ドレイン端子１００４（画素電極１００５）と他の端子１００２，１００３との間の電位差を小さくでき、ショートや電流リークなどの欠陥を効果的に抑止できる。
特に、フィードスルー電圧Δ１，Δ２の大きさが、着色粒子１０１４Ｗ，１０１４Ｂを駆動させるのに必要な最小限の駆動電圧を着色粒子１０１４Ｗ，１０１４Ｂへ印加したときのＴＦＴ１００１のドレイン端子１００４の電位の大きさの２／３を中心とした±２０％の範囲となるように構成することで、フィードスルー電圧ΔＶ２をより有効に利用して画素電極１００５の充電を行うことができる。
【００６２】
尚、実施形態１と実施形態２で説明した内容を共に備える電子ペーパーを実現することもできる。
【図面の簡単な説明】
【００６３】
【図１】実施形態１に係る電子ペーパーの表示部を制御するためのアクティブマトリクス回路の概略構成を示す説明図である。
【図２】同アクティブマトリクス回路の一部（１画素分）を拡大した模式図である。
【図３】同電子ペーパーの表示部及び回路部の一部を切断した断面を模式的に示した説明図である。
【図４】ドレイン端子にプラス極性の電圧を印加したときのＴＦＴのＶｇ−Ｉｄ特性（静特性）を示すグラフである。
【図５】ドレイン端子にマイナス極性の電圧を印加したときの同ＴＦＴのＶｇ−Ｉｄ特性（静特性）を示すグラフである。
【図６】同ＴＦＴのゲート端子に印加される選択電圧とドレイン電圧の波形を示すグラフである。
【図７】同ＴＦＴにアクティブ状態選択電圧が入力されている期間の前後におけるドレイン電圧の変動の詳細を示すグラフである。
【図８】実施形態２におけるＴＦＴにアクティブ状態選択電圧が入力されている期間の前後におけるドレイン電圧の変動の詳細を示すグラフである。
【図９】フィードスルー電圧が、表示画素を適切に表示するのに必要となる電圧レベルと同じ場合と、その電圧レベルよりも大きい場合とについて、シミュレーションを行ったときのドレイン電圧の波形を示す説明図である。
【図１０】フィードスルー電圧ΔＶ１，ΔＶ２が必要電圧レベと同じ場合と、必要電圧レベルの２／３である場合とを比較したシミュレーションの結果を示す説明図である。
【図１１】フィードスルー電圧ΔＶ１，ΔＶ２が必要電圧レベルの２／３である場合と、必要電圧レベルの１／３である場合とを比較したシミュレーションのシミュレーション結果を示す説明図である。
【図１２】一般的なアクティブマトリクス回路を用いた回路部の一部（４画素分）を模式的に表した説明図である。
【図１３】ＴＦＴの断面構造を示す説明図である。
【図１４】従来構成において、白が表示されている表示画素について続いて白を表示する場合のＴＦＴがＯＮ状態になる前後のドレイン電圧の変動を示すグラフである。
【図１５】従来構成において、白が表示されている表示画素について続いて黒を表示する場合のＴＦＴがＯＮ状態になる前後のドレイン電圧の変動を示すグラフである。
【符号の説明】
【００６４】
３０９  コントローラ
３１１  信号線ドライバ
３１２  信号線用ＤＡＣ
３１３  選択線ドライバ
３１４  選択線用ＤＡＣ
１００１  ＴＦＴ
１００２  ゲート端子
１００３  ソース端子
１００４  ドレイン端子
１００５  画素電極
１００６  透明電極
１０１０  対向電極
１０１２  絶縁膜
１０１３  活性層
１０１４Ｗ，１０１４Ｂ  着色粒子
１０１５  保護膜
１０１６  スルーホール
１１０２  ドレイン間容量成分
１２００  回路部
１３００  表示部
【図１】
2009058702.tif 000003
【図２】
2009058702.tif 000004
【図３】
2009058702.tif 000005
【図４】
2009058702.tif 000006
【図５】
2009058702.tif 000007
【図６】
2009058702.tif 000008
【図７】
2009058702.tif 000009
【図８】
2009058702.tif 000010
【図９】
2009058702.tif 000011
【図１０】
2009058702.tif 000012
【図１１】
2009058702.tif 000013
【図１２】
2009058702.tif 000014
【図１３】
2009058702.tif 000015
【図１４】
2009058702.tif 000016
【図１５】
2009058702.tif 000017